(57)【要約】【課題】  視認性を高めて表示パターンの内容を確実に伝達する。【解決手段】  発光ディスプレイ１０のケース１２は、光を反射するための反射部１４と電池１６を収納する収納部１８に分かれており、前記反射部１４の内側には白色反射板２６が設けられている。また、反射部１４の開放部２２には、マーク３４が形成された透光性のフィルム３２と表面に乳白色の散乱部３０Ａが形成された散乱板３０が重ねた状態で設けられており、側面の差込口２４には、ＬＥＤ４８が長手方向に複数配置された照射部３６が差し込まれる。スイッチ２０をＯＮにして通電すると、ＬＥＤ４８が発光し、その光が断面略円形の長尺の透明体５６を介して反射部１４に多方向から入射する。そして、白色反射板２６で反射され内部全体に拡散するとともに、散乱板３０によって散乱されて、外部からみるとマーク３４が明るく見える。【選択図】図１
2005031596.tif 000002
【特許請求の範囲】
【請求項１】
対向する主面の一つが開放し、側面の一部に略長穴状の光の照射口が形成されるとともに、内側に白色反射体が設けられた反射ケース，
該反射ケースの開放した主面を覆う透光性のフィルム，
該フィルムに設けられた表示パターン，
透光性を有し、前記フィルムの裏面を覆うとともに、該フィルムと接触する側につや消し状の散乱部が形成された透明板，
透光性を有し、断面略円形であって、前記照射口の形状に沿って配置される長尺の透明体，
該透明体に対して、前記反射ケースの反対側から光を照射する光源，
を備えたことを特徴とする表示器具。
【請求項２】
前記透光性のフィルムが、前記表示パターンが撮影された写真フィルムであることを特徴とする請求項１記載の表示器具。
【請求項３】
透光性を有する透明板，
該透明板の表面に設けられた表示パターン，
前記透明板の裏面を覆うとともに、該透明板を介して入射した太陽光のエネルギーを電気エネルギーに変換する太陽電池パネル，
前記透明板及び太陽電池パネルの端面を側面の嵌合部に挟み込んで固定するとともに、側面の一部に略長穴状の光の照射口が形成された反射ケース，
前記嵌合部の内側に設けられており、前記透明板の端面と非密着状態となるように設けられた白色反射体，
透光性を有し、断面略円形であって、前記照射口の形状に沿って配置されるとともに、前記透明板の端面に近接ないし当接する長尺の透明体，
該透明体を介して、前記透明板の端面に光を照射する光源，
前記太陽電池パネルで変換された電気エネルギーを蓄電するとともに、必要に応じて前記光源に供給する蓄電池，
を備えたことを特徴とする表示器具。
【請求項４】
前記表示パターンが、金属を含有しない塗料もしくはシールで形成されていることを特徴とする請求項３記載の表示器具。
【請求項５】
透光性を有する長尺の透明体によって形成された表示パターン，
該透明体の長手方向に形成された透明部，
前記透明体の表面であって、前記透明部を除く部分に形成されたつや消し状の散乱部，
少なくとも前記表示パターンの両端部に設けられており、前記透明体に光を照射する光源，
を備えたことを特徴とする表示器具。
【請求項６】
前記散乱部が、塗料によって形成されたことを特徴とする請求項１，２，５のいずれかに記載の表示器具。
【請求項７】
前記散乱部が、透明体又は透明板の加工ないし製造工程において形成されたことを特徴とする請求項１，２，５のいずれかに記載の表示器具。
【請求項８】
前記透明体又は透明板が、アクリル樹脂を材料とすることを特徴とする請求項１〜７のいずれかに記載の表示器具。
【請求項９】
前記光源の点灯及び消灯を切り替えるスイッチ手段を設けたことを特徴とする請求項１〜８のいずれかに記載の表示器具。
【発明の詳細な説明】
【技術分野】
【０００１】
本発明は、表示器具に関し、特に、透明体に光を導入するようにした表示器具の視認性の改良に関するものである。
【背景技術】
【０００２】
従来、各種名前やマーク等を表示する手段としては、合成樹脂などのプレートに表示内容を塗装したり印刷したりするのが一般的である。例えば、青地に白で描かれた車椅子マークは、バスや公共トイレなどに表示されるほかにも、周囲や他車に配慮・注意などを求めるために、車椅子使用者や障害者などが乗車することがある自動車の車体などに貼り付けられる。このような、いわゆる車椅子マークとしては、所定のマークが印刷ないし塗装されたアクリル樹脂のプレートの裏面に接着テープなどを設けたシール式のものや、裏面が磁石になっており車体に着脱自在のものなどがある。
【発明の開示】
【発明が解決しようとする課題】
【０００３】
しかしながら、以上のようにプレートに印刷や塗装などで表示内容を示したものは、プレート自体が大きいものでない場合には、視認性が低く、表示効果に乏しい。特に、上述したような車椅子マークのように、注意を促すための表示においては、その目的を十分に達成することができない。更に、昼間の明るい時刻においては表示された内容を確認することができても、夜間やトンネルなどの暗所においては、視認性が顕著に低下することが避けられないという不都合がある。
【０００４】
この発明は、以上の点に着目したもので、その目的は、視認性を高めることによって表示内容を確実に伝達し、特に、注意を促すための表示においては、その目的を十分に達成することができる表示器具を提供することである。
【課題を解決するための手段】
【０００５】
前記目的を達成するため、本発明は、対向する主面の一つが開放し、側面の一部に略長穴状の光の照射口が形成されるとともに、内側に白色反射体が設けられた反射ケース，該反射ケースの開放した主面を覆う透光性のフィルム，該フィルムに設けられた表示パターン，透光性を有し、前記フィルムの裏面を覆うとともに、該フィルムと接触する側につや消し状の散乱部が形成された透明板，透光性を有し、断面略円形であって、前記照射口の形状に沿って配置される長尺の透明体，該透明体に対して、前記反射ケースの反対側から光を照射する光源，を備えたことを特徴とする。主要な形態の一つは、前記透光性のフィルムが、前記表示パターンが撮影された写真フィルムであることを特徴とする。
【０００６】
他の発明は、透光性を有する透明板，該透明板の表面に設けられた表示パターン，前記透明板の裏面を覆うとともに、該透明板を介して入射した太陽光のエネルギーを電気エネルギーに変換する太陽電池パネル，前記透明板及び太陽電池パネルの端面を側面の嵌合部に挟み込んで固定するとともに、側面の一部に略長穴状の光の照射口が形成された反射ケース，前記嵌合部の内側に設けられており、前記透明板の端面と非密着状態となるように設けられた白色反射体，透光性を有し、断面略円形であって、前記照射口の形状に沿って配置されるとともに、前記透明板の端面に近接ないし当接する長尺の透明体，該透明体を介して、前記透明板の端面に光を照射する光源，前記太陽電池パネルで変換された電気エネルギーを蓄電するとともに、必要に応じて前記光源に供給する蓄電池，を備えたことを特徴とする。主要な形態の一つは、前記表示パターンが、金属を含有しない塗料もしくはシールで形成されていることを特徴とする。
【０００７】
更に他の発明は、透光性を有する長尺の透明体によって形成された表示パターン，該透明体の長手方向に形成された透明部，前記透明体の表面であって、前記透明部を除く部分に形成されたつや消し状の散乱部，少なくとも前記表示パターンの両端部に設けられており、前記透明体に光を照射する光源，を備えたことを特徴とする。
【０００８】
主要な形態の一つは、前記散乱部が、塗料によって形成されたことを特徴とする。または、前記散乱部が、透明体又は透明板の加工ないし製造工程において形成されたことを特徴とする。他の形態は、前記透明体又は透明板が、アクリル樹脂を材料とすることを特徴とする。更に他の形態は、前記光源の点灯及び消灯を切り替えるスイッチ手段を設けたことを特徴とする。本発明の前記及び他の目的，特徴，利点は、以下の詳細な説明及び添付図面から明瞭になろう。
【発明の効果】
【０００９】
本発明によれば、次のような効果がある。
(1)表示パターンが形成された透光性のフィルムと、該フィルムの裏面を覆うとともに、前記フィルムとの接触側につや消し状の散乱部が形成された透明板とを重ね合わせた状態で、内側に白色反射体が設けられたケースの開放した表面に設ける。そして、前記ケースの開放した側面に配置された断面略円形の長尺の透明体を介して光源の光を前記ケース内に導入することとしたので、夜間や暗所においても、表示パターンの発光により、表示内容を明瞭に視認することができる。
(2)透光性の透明板の表面に表示パターンを形成し、該透明板の背面を太陽電池パネルで覆うとともに、これら各部の端面を固定する枠の内側に、前記透明板の端面と非接触状態で白色反射体を設け、前記透明板の端面から、前記ケースの開放した側面に配置された断面略円形の長尺の透明体を介して光源の光を前記透明板内に導入することとしたので、夜間や暗所においても、表示パターンの発光により、表示内容を明瞭に視認することができる。また、前記太陽電池パネルから取り出した電気エネルギーを蓄電し、これを利用することとしたので、太陽光の有効活用ができるとともに、電池交換などの手間がかからない。
(3)表面につや消し加工が施された透明体の長手方向に沿って透明部を形成し、該透明体で表示パターンを形成するとともに、少なくとも前記透明体の両端部に光源を配置して、前記透明体の端部から光を導入することとしたので、光が前記透明部に沿って透明体の端部から端部まで双方向から達し、透明体全体を均一な強度で発光させることが可能となる。
(4)前記光源の点灯及び消灯を切り替えるスイッチ手段を設けることとしたので、電池などの消耗を防ぐことができる。
【発明を実施するための最良の形態】
【００１０】
以下、本発明を実施するための最良の形態を、いくつかの実施例に基づいて詳細に説明する。
【実施例１】
【００１１】
最初に、図１及び図２を参照して、本発明の実施例１について説明する。図１は、本実施例の構成を示す図であり、同図（Ａ）は正面図，同図（Ｂ）は分解斜視図，同図（Ｃ）は前記（Ａ）を＃Ａ−＃Ａ線に沿って切断し、矢印方向に見た断面図である。また、図２（Ａ）は、本実施例の照射部の構成を示す図であり、同図（Ｂ）は本実施例の回路図を示している。本実施例は、本発明の表示器具を、任意の内容（ロゴマーク，宣伝内容，各種デザインや風景など）を表示する発光ディスプレイに適用したものである。
【００１２】
発光ディスプレイ１０は、図１に示すように、ケース１２，該ケース１２の表面の開放部２２に設けられており所定のマーク３４が形成された透光性フィルム３２，その裏面に配置された散乱板３０，前記ケース１２内部に光を照射する照射部３６により構成されている。透光性フィルム３２の表示側（表示を観察する側）には、必要に応じて透光性フィルム３２保護用のガラス板などが設けられる。
【００１３】
まず、ケース１２は、表面と一側面のほぼ全体が開放した略直方体形状となっており、その内側は、前記照射部３６から照射された光を反射するための反射部１４と、電池１６を収納するための収納部１８に分かれている。前記電池１６は、照射部３６に設けられた光源であるＬＥＤ（発光ダイオード）４８に電気エネルギーを供給するものである。また、ケース１２には、前記反射部１４に対応する表面に開放部２２が形成されており、該開放部２２には、図１（Ｃ）に示すように嵌合部２８が形成されている。そして、該嵌合部２８に前記透光性フィルム３２と散乱板３０を重ね合わせた状態で嵌め込むことによって、これら各部を固定している。更に、ケース１２の側面の一つには、前記照射部３６を差し込むために開放した差込口２４が形成されている。前記反射部１４には、底面と差込口２４を除く側面に白色反射板２６が設けられている。すなわち、ケース１２の内側に、白色反射板２６によるケースが収納されたような２重構造となっている。なお、ここでは、白色の板によってケース状の反射部１４を構成することとしたが、白色テープなどを貼り付けるようにしても代用可能である。
【００１４】
以上のようなケース１２の材料としてはどのようなものであってもよいが、例えば、アルミニウム板やプラスチック板などが用いられる。また、前記透光性フィルム３２にはマーク３４が形成されている。このようなマーク３４は、透明なフィルム上に印刷などの手法により形成するようにしてもよいが、本実施例では、マーク３４が撮影された透光性の写真フィルムを透光性フィルム３２として利用している。前記透光性フィルム３２の裏面に設けられる散乱板３０は、透光性のあるアクリル樹脂の透明板の表面側（透光性フィルム３２側）につや消し状の散乱部３０Ａが形成されたものであって、図示の例では、１枚のアクリル板の一方の主面側のみが製造時に乳白のつや消し状に形成されたものが利用されている。
【００１５】
次に、照射部３６について説明する。照射部３６は、前記ケース１２の差込口２４に差し込まれた状態で、前記ケース１２の反射部１４内に光を導入するものであって、前記差込口２４と略同一形状の照射ケース３８内に、光源であるＬＥＤ４８と、該ＬＥＤ４８に接する断面略円形の棒状の透明体５６が収納された構成となっている。前記照射ケース３８は、図２（Ａ）に示すように、開放部４０の先端が若干すぼまった断面略コ字形状となっており、開放部４０を若干外側に押し広げることができるような材料（例えば、アルミニウム板やプラスチック板など）で形成されている。
【００１６】
前記ＬＥＤ４８は、前記照射ケース３８の底面４２と略同一形状のフレキシブル基板４４上に平行に形成された電極パターン４６Ａ，４６Ｂ上に跨るように複数配置されており、前記電極パターン４６Ａ，４６Ｂの端部には、それぞれリード線５０，５２が接続されている。前記電極パターン４６Ａ，４６Ｂとしては、例えば、銅が用いられ、あらかじめ基板４４に印刷されている。このような電極パターン４６Ａ，４６Ｂ上に設けられるＬＥＤ４８の数は任意であるが、本実施例では、１０個のＬＥＤ４８が等間隔で配置されている。また、前記透明体５６は、前記照射ケース３８と略同一の長さに形成されており、その直径は、照射ケース３８の底面４２の幅と略同一に設定されている。前記透明体５６としては、アクリル樹脂からなる透光性の透明な棒状体が利用される。
【００１７】
以上の各部は、まず、基板４４上に形成された平行な電極パターン４６Ａ，４６Ｂに跨るように、ＬＥＤ４８を配置し、該ＬＥＤ４８の図示しない端子と電極パターン４６Ａ及び４６Ｂを接続する。そして、電極パターン４６Ａ，４６Ｂの端部に、それぞれリード線５０，５２を適宜手段で接続する。次に、このようにしてＬＥＤ４８を設けた基板４４を、照射ケース３８の底面４２に貼り付け、更にその上から前記透明体５６を、開放部４０から嵌め込み、前記ＬＥＤ４８に接触させる。このとき、透明体５６の直径は、開放部４０の幅よりも若干大きく設定されているため、開放部４０を押し広げることになる。すると、開放部４０の内側に戻る力により、透明体５６が照射ケース３８に固定される。
【００１８】
ＬＥＤ４８と接続したうちの一方のリード線５０は、ケース１２の収納部１８に収納された電池１６の一方の端子に接続され、更に、電池１６の他方の端子に接続されたリード線５４は、収納部１８に設けられたスイッチ２０を介して、前記ＬＥＤ４８と接続した他方のリード線５２に接続されている。すなわち、図２（Ｂ）の回路図に示すように、並列接続された１０個のＬＥＤ４８に、スイッチ２０を介して電池１６が接続された構成となっており、前記スイッチ２０のＯＮ／ＯＦＦの切り替えにより、ＬＥＤ４８の点灯及び消灯を切り替えることができる。なお、前記リード線５０，５２，５４は、いずれも収納部１８の内側に収納されている。
【００１９】
次に、本実施例の作用を説明する。図１（Ａ）に示すように、発光ディスプレイ１０は、マーク３４が外部（観察側）に向くようにして、所望の場所に設置される。そして、ケース１２に設けられたスイッチ２０をＯＮにして、収納部１８の電池１６から照射部３６内に設けられたＬＥＤ４８に電気を供給して通電し、ＬＥＤ４８を点灯させ、透明体５６を介して反射部１４へ向けて光を照射する。ＬＥＤ４８から透明体５６へ入射した光は、断面略円形の透明体５６によるレンズ効果で屈折・発散され、前記反射部１４内部に多方向から入射する。
【００２０】
このとき、反射部１４の底面及び側面には、白色反射板２６が設けられているため、透明体５６を介して多方向から入射した光は、これら白色反射板２６によって内部全体に拡散し、表面側の散乱板３０の散乱部３０Ａで散乱して、透光性フィルム３２から光が外部に射出されるようになる。このような状態の発光ディスプレイ１０を外部から見ると、マーク３４が明るく見え、その表示する内容を明瞭に確認することができる。
【００２１】
このように、本実施例１によれば、マーク３４が形成された透光性のフィルム３２と、その裏面を覆うとともに前記フィルム３２との接触側につや消し状の散乱部３０Ａが形成された散乱板３０を、内側に白色反射板２６が設けられたケース１２の表面の開放部２２に設け、ケース１２の開放側面に配置された断面略円形の長尺の透明体５６を介して、ＬＥＤ４８の光をケース１２の反射部１４に導入することとした。このため、透明体５６によるレンズ効果により、光が反射部１４内に多方向から入射し、入射した光が白色反射板２６により反射して内部全体に拡散し、更に、拡散光が散乱板３０の散乱部３０Ａによって散乱されて外部へ射出されマーク３４部分が発光する。従って、昼間はもちろんのこと、夜間や暗い場所などにおいても、極めて明瞭にマーク３４を視認することができる。特に、夜間や暗所においては、表示内容の発光で表示の確認が行えるため、警報の表示，名前等の表示，装飾等多目的の用途に使用することができる。
【００２２】
また、ＬＥＤ４８の電源である電池１６を、前記ケース１２内に収納するとともに、ケース１２に設けられたスイッチ２０によってＬＥＤ４８の点灯及び消灯を切り替えることとしたので、暗所などで利用する場合以外には、スイッチ２０をＯＦＦにすることにより、ＬＥＤ４８からの光の照射をストップさせて、電池１６の消耗を防ぐことができる。
【実施例２】
【００２３】
次に、図３を参照して、本発明の実施例２について説明する。図３（Ａ）は、本実施例の全体を示す正面図，同図（Ｂ）は構造を示す分解斜視図，同図（Ｃ）は本実施例の照射部の詳細な構成を示す図，同図（Ｄ）は本実施例の回路図である。本実施例は、本発明を表札に適用したものである。
【００２４】
表札６０は、図３に示すように、所定の文字６４が表面に形成された略長方形の透明板６２，該透明板６２と略同一形状に形成されており、透明板６２の背面に設けられる太陽電池パネル６８，これら各部の端面を覆って固定するケース７２，該ケース７２に装着されるとともに前記透明板６２の端面６６に光を照射する照射部８２を中心に構成されている。透明板６２の表示側（表示を観察する側）には、必要に応じて透明板６２を保護するためのガラス板（図示せず）が設けられる。
【００２５】
前記透明板６２としては、光を透過する透光性のアクリル樹脂板が利用される。このような透明板６２の表面に文字６４を形成するには、例えば、所定の文字６４の形状の切り抜き部を有する型紙を透明板６２の表面に重ねてその上から塗料を吹き付けるようにする。塗料としては、各種の塗料を利用することができるが、透明板６２に確実に付着しやすいものを利用する。例えば、アクリル系の塗料を利用すると、アクリル樹脂からなる透明板６２に対して文字６４を確実に付着させることができる。更に、金属などの反射性の成分を含有しない塗料を利用することにより、表札６０の点灯状態において、文字６４を明瞭に表示することができる。塗料中に金属が存在すると、塗料を塗布した部分が鏡面にならず黒ずんでしまい、良好な表示を得ることができない。また、塗料の色は、各種の色を利用することができる。文字６４の形成はこの他にも、シルクスクリーン印刷などによって行うようにしてもよいし、文字６４が印刷されたシールなどを透明板６２の表面に貼付するようにしてもよい。
【００２６】
以上のようにして文字６４が形成された透明板６２の背面には、図３（Ｂ）に示すように、該透明板６２と略同一形状の太陽電池パネル６８が重ねられる。該太陽電池パネル６８は、前記透明板６２を介して入射した太陽光のエネルギーを電気エネルギーに変換するもので、Ｐ型半導体板とＮ型半導体板の接合板の表裏両面に電気を取り出すための電極層７０Ａ，７０Ｂが設けられた構成となっている。これら電極層７０Ａ，７０Ｂは、リード線９２，９４によって、蓄電池７９に接続されており、太陽電池パネル６８から取り出された電気エネルギーが該蓄電池７９で化学エネルギーに変換されて蓄積され、必要に応じて、再度電気エネルギーに変換されて、後述する照射部８２のＬＥＤ８７に供給される。
【００２７】
次に、前記ケース７２は、表面と一側面のほぼ全体が開放した略直方体形状となっており、その内側は，前記透明板６２及び太陽電池パネル６８を固定するとともに、前記照射部８２から照射された光を反射するための反射部７４と、蓄電池７９及び照射部８２を収納する収納部８０に分かれている。また、該収納部８０側の側面には、前記照射部８２を差し込むために開放した差込口８１（同図（Ｂ）参照）が形成されている。前記反射部７４の側面内側には、前記透明板６２と太陽電池パネル６８を重ね合わせた状態でその端面を挟み込むための溝状の嵌合部７８が形成されており、表面には開放部７５が形成されている。透明板６２の表面に形成された文字６４は、前記開放部７５から観察されるようになっている。
【００２８】
更に、前記反射部７４には、差込口８１側を除く側面に、透明板６２に入った光を反射するための白色反射板７６が設けられている。透明板６２の端面６６に前記白色反射板７６を密着させると良好な反射が行われなくなることから、端面６６に対して、非密着状態（ないし空気層が介在する状態）となるように、ケース７２側(反射部７４側)に白色反射板７６を貼り付ける。なお、ここでは白色反射板７６を利用することとしたが、嵌合部７８に白色テープなどを貼り付けるようにしても代用可能である。この場合、白色テープは、端面６６に完全に密着した状態でなければよく、一部が端面６６に接触していても十分効果的である。以上のようなケース７２の材料としては、上述した実施例と同様のものが用いられる。
【００２９】
次に、照射部８２について説明する。照射部８２は、前記ケース７２の差込口８１に差し込まれた状態で、反射部７４に固定された透明板６２に光を導入するものであって、基本的には、上述した実施例と同様の構成となっている。すなわち、前記差込口８１と略同一形状の照射ケース８３内に、光源であるＬＥＤ８７と、該ＬＥＤ８７に接する断面略円形の棒状の透明体８６が収納された構成となっている。前記ＬＥＤ８７は、フレキシブル基板８４上に平行に形成された電極パターン８８Ａ，８８Ｂ上に跨るように複数（図示の例では３つ）配置されており、前記電極パターン８８Ａ，８８Ｂの端部には、それぞれリード線９９，９８が接続されている。このようなＬＥＤ８７が設けられた基板８４が、前記照射ケース８３の底面に貼り付けられ、その上から前記透明体８６が嵌め込まれる。なお、前記照射部８２を構成する各部の材料は、上述した実施例と同様のものが用いられ、その組み立て及びケース７２への装着も、前記実施例と同様の手順で行われる。また、図示の例では、照射部８２をケース７２へ装着した状態では、透明体８６が透明板６２の端面６６に近接した状態となっている。
【００３０】
上述した構成の照射部８２を装着する収納部８０には、前記照射部８２を収納するスペースのほかに、前記蓄電池７９を収納するスペースも設けられている。更に、収納部８０には、太陽光の入射量を検知する光センサ９０が設けられている。そして、前記蓄電池７９の図示しない一方の端子と接続したリード線９６は、光センサ９０及びリード線９８を経由してＬＥＤ８７と接触した一方の電極パターン８８Ｂに接続され、更に、蓄電池７９ともう一方の電極パターン８８Ａ同士は、リード線９９により接続されている。これらリード線９６，９８，９９は、いずれも収納部８０の内側に収納されている。
【００３１】
以上のような構成の表札６０は、図３（Ｄ）の回路図に示すように、並列接続された太陽電池６８と蓄電池７９に、光センサ９０を介して並列接続されたＬＥＤ８７が接続された構成となっており、前記光センサ９０の検知結果に応じて、ＬＥＤ８７の点灯及び消灯を切り替えることができる。すなわち、光センサ９０が、ＬＥＤ８７の点灯／消灯を切り替えるスイッチの役割を果たしている。例えば、光センサ９０による太陽光の入射量の検知結果が所定の値よりも多い場合（晴の日の昼間など）はＬＥＤ８７への通電をＯＦＦにし、入射量が所定の値よりも少ない場合（曇天・雨天時や夜間など）には、ＬＥＤ８７への通電をＯＮにするという具合である。
【００３２】
次に、本実施例の作用を説明する。表札６０を、玄関の所望の位置に適宜手段で取り付ける。すると、光センサ９０によって太陽光の入射量が常に検知される。太陽光が透明板６２を介して太陽電池パネル６８に達すると、該太陽電池パネル６８では、太陽光のエネルギーを電気エネルギーに変換し、変換された電気エネルギーは、リード線９２，９４を介して表裏の電極層７０Ａ，７０Ｂから取り出され、蓄電池７９に蓄積される。このような作用は、太陽光の入射がある間、蓄電池７９が完全に充電されるまで継続される。
【００３３】
一方、光センサ９０では、太陽光の入射量を検知し続けており、日中などの入射量が十分な場合には、上述した充電動作のみが行われるが、曇天や夕方になり入射量が不足すると、充電動作が停止し、蓄電池７９から電気を供給して、光源であるＬＥＤ８７へ通電し点灯させ、透明体８６を介して透明板６２へ向けて光を照射する。
【００３４】
ＬＥＤ８７から透明体８６へ入射した光は、断面略円形の透明体８６によるレンズ効果で屈折・発散され、前記透明板６２の端面６６から、該透明板６２内部に多方向から入射する。このとき、透明板６２の背面には遮光性の太陽電池パネル６８が設けられており、透明板６２の端面６６側，すなわち、ケース７２の嵌合部７８の内側には、白色反射板７６が設けられているため、透明板６２に入射した光は、これら端面や背面から外部に散乱するのが防止されて内部全体に拡散し、塗料で形成された文字６４で散乱される。このような文字６４による光の散乱によって、光が透明板６２から外部に射出されるようになる。一方、太陽電池パネル６８側に散乱した光は、太陽電池パネル６８によって吸収されるようになる。このような状態の表札６０を外部から見ると、文字６４が明るく見えるため、文字６４を明瞭に確認することができる。なお、光センサ９０による検知結果により、太陽光の入射量が再び所定の値よりも多くなったときには、ＬＥＤ８７への通電がストップし、上述した充電動作が再開される。
【００３５】
このように、実施例２によれば、透光性の透明板６２の表面に文字６４を形成し、該透明板６２の背面を太陽電池パネル６８で覆うとともに、これら各部の端面を固定するケース７２の内側に、前記透明板６２の端面６６と非接触状態で反射性の白色反射板７６を設け、前記透明板６２の端面６６から、断面略円形の透明体８６を介してＬＥＤ８７の光を該透明板６２内に導入することとした。このため、文字６４部分が発光し、昼間はもちろんのこと、夜間や暗い場所などにおいても、極めて明瞭に文字６４を視認することができる。また、透明板６２の背面に太陽電池パネル６８を設けるとともに、これによって取り出したエネルギーを蓄電池７９に蓄えて、ＬＥＤ８７へ通電する際の電源としたので、電池を別に設ける必要がなく、太陽光を有効利用することができる。更に、光センサ９０を設けて太陽光の入射量を検知し、検知結果に応じて前記蓄電池７９からＬＥＤ８７への通電のＯＮ／ＯＦＦを自動的に切り替えることとしたので、表札６０の点灯や消灯を手動で行う煩わしさがない。
【００３６】
なお、上述した説明では、照射部８２を装着したときに、透明体８６が透明板６２の端面６６に近接する位置となるように設けることとしたが、透明体８６が端面６６に直に接触するような位置又はサイズに設定するようにしても、上述した例と同様の効果を得ることができる。また、ＬＥＤ８７を設ける位置，個数なども必要に応じて適宜変更可能である。また、ケース７２の内側に設ける白色反射体は、白色反射板７６や白色テープに限定するものではなく、嵌合部７８の内側を白色塗料によって白く塗装するようにしてもよい。
【実施例３】
【００３７】
次に、図４を参照して本発明の実施例３について説明する。図４（Ａ）は、本実施例の全体を示す正面図，同図（Ｂ）は前記（Ａ）を＃Ｂ−＃Ｂ線に沿って切断し矢印方向に見た断面図，（Ｃ）は本実施例の回路図である。本実施例は、看板などに本発明の表示器具を適用した例である。一般に、夜間の視認性を高めるための看板としてネオン管を利用したものがあるが、ガラス管の内部にネオンガスを封入したり、ネオン管を複雑な文字形状に加工したりするのは手間やコストがかかる。また、ＬＥＤを利用した看板も見られるが、一般にこの種の表示器具は、光源に近い部分は明るく、遠い部分になるほど暗くなり、表示器具全体の明るさにムラがでる傾向が強い。本実施例は、簡単な構成で、このような明るさのムラを解消して、全体が均一に発光するようにしたものである。
【００３８】
本実施例の看板１００は、略長方形のボード１０２上に、発光する透明体１０４によって文字が形成された構成となっている。前記透明体１０４は、断面が略円形の棒状体であって、任意の文字形状などに形成することにより、それ自体が表示パターンを構成するものであり、その両端部１１０，１１２には、光源であるＬＥＤ１１４及び１２２が当接するように設けられている。これら透明体１０４及びＬＥＤ１１４，１２２は、任意の手段で前記ボード１０２に取付固定される。また、前記ボード１０２の裏面には、電源である電池１３８を収納する電池ケース１４０が設けられている。更に、ボード１０２の側面には、前記ＬＥＤ１１４及び１２２の点灯及び消灯を切り替えるためのスイッチ１３４が設けられている。
【００３９】
図４（Ｂ）の断面図に示すように、前記透明体１０４は、表面の略全体が磨りガラス状に加工が施されたつや消し部１０６となっており、ボード１０２側には、透明体１０４の変形前の長手方向に沿った透明部１０８が設けられている。透明体１０４としては、例えば、アクリル樹脂などの透光性の材料が使用され、前記つや消し部１０６は、光を反射するように白色のテープや塗料によって形成される。例えば、透明体１０４の材料としてアクリル樹脂を利用した場合には、アクリル樹脂全体を４０℃程度に温めた状態で、白色ないし乳白色のパール塗料をスプレー塗布することにより、容易につや消し部１０６を形成することができる。
【００４０】
また、前記透明体１０４の一方の端部１１０には、ＬＥＤ１１４のチップ１１８が埋め込まれた樹脂モールド１１６の鏡面仕上げした端面が直に当接されている。このようなＬＥＤ１１４の図示しない端子は、基部１２０を介して、ボード１０２の裏面側で、一方はリード線１３２によって電源である電池１３８の一方の端子に接続され、他方は、リード線１３０によってスイッチ１３４へ接続され、更にリード線１３６によって電池１３８の他方の端子へ接続される。
【００４１】
同様に、前記透明体１０４の他方の端部１１２には、ＬＥＤ１２２のチップ１２６が埋め込まれた樹脂モールド１２４の鏡面仕上げした端面が直に当接されている。このようなＬＥＤ１２２の図示しない端子は、基部１２８を介して、ボード１０２の裏面側で、一方はリード線１３２によって電源である電池１３８の一方の端子に接続され、他方は、リード線１３０によってスイッチ１３４へ接続され、更にリード線１３６によって電池１３８の他方の端子へ接続される。すなわち、図４（Ｃ）の回路図に示すように、並列接続されたＬＥＤ１１４，１２２に、スイッチ１３４を介して電池１３８が接続された構成となっている。なお、本実施例では、ＬＥＤ１１４とＬＥＤ１２２として、多色発光、かつ、各ＬＥＤ１１４，１２２の発光周期が異なるものを利用しており、同時に同じ色に発光することがないものとする。
【００４２】
次に、本実施例の作用を説明する。スイッチ１３４をＯＮにして、電池１３８からの通電を開始し、ＬＥＤ１１４及び１２２を点灯すると、ＬＥＤ１１４，１２２から発せられた光は、透明体１０４の内部に入射する。入射した光のうち、透明部１０８に進入した光は、そこで反射されるようになる。しかし、つや消し部１０６に進入した光は、つや消し部１０６によって乱反射される。すなわち、透明体１０４に進入した光は、主として透明部１０８によって端部１１０及び１１２から延長方向に導かれるとともに、つや消し部１０６で乱反射されて外部から見ると発光しているように観察される。なお、両端にそれぞれＬＥＤ１１４，１２２を設けているため、全体が均一な強度で発光するようになる。更に、本実施例では、発光周期が異なる２つのＬＥＤ１１４と１２２を利用しているため、透明体１０４の両端側が同時に同じ色に発光することはなく、中央側では、両端側での異なる色が混ざった色彩の発光が見られる。
【００４３】
このように、つや消し加工の透明体１０４の表面に透明部１０８を設けるとともに、両端１１０及び１１２にそれぞれＬＥＤ１１４，１２２を設けることとしたので、透明部１０８によって光が透明体１０４内部（中央部）にも導かれるようになり、全体を均一の強度で発光させることができる。なお、本実施例では、透明体１０４のつや消し部１０６が、上述した実施例１の散乱板３０や実施例２の文字６４に該当すると考えることができる。
【００４４】
なお、本発明は、上述した実施例の形態に限定されるものではなく、本発明の要旨を逸脱しない範囲内において種々変更を加え得ることができる。例えば、以下のものも含まれる。
(1)前記実施例で示した発光ディスプレイ，表札，看板はいずれも一例であり、必要に応じて、デザイン，構成，サイズ等を適宜変更してよい。また、本発明の表示器具は、例えば、店鋪用の発光ディスプレイや広告用の発光ディスプレイ、さらに非常灯や道路表示など、多様な用途に適用することができる。この他にも、喫茶店，レストランなどにおけるメニュー表示，店舗内商品の宣伝・説明や、ホテル，病院，駅，空港ロビーなどのカウンターにおけるインフォメーション，その他の各種の情報などを表示するものに適用してよい。地下鉄のホーム以外の暗所での駅名表示などにも好適である。
【００４５】
(2)前記実施例では、表示パターンとして、ロゴマークや表札用の文字、Ｗｅｌｃｏｍｅの文字を例にあげて説明したが、この他にも、各種文字，模様，絵，数字やその組み合わせなど、種々のものを表示するようにしてもよい。それらの色彩についても、適宜変更可能である。特に、視認性が高いことから、警告・注意などを促す表示に利用すると、暗所でも表示内容を確実に伝達でき好都合である。例えば、本発明の表示器具を、自動車などに貼り付ける車椅子マークの表示に適用すると、車椅子使用者や障害者などが乗車していることを、周囲や他車に知らせやすくなる。
【００４６】
(3)透明板や透明体としては、透明であれば有色であることを妨げるものではないが、無色なほうが好ましい。
【００４７】
(4)光源としては、ＬＥＤ以外の他の光源，例えば冷陰極管などを用いてもよいが、消費電力の点を考慮するとＬＥＤが最も好適である。また、単色発光のＬＥＤを利用してもよいし、多色発光のＬＥＤを利用してもよく、これらを組み合わせるようにしてもよい。また、例えば、前記実施例３に見られるような看板に利用する際に、表示する文字が複数ある場合には、文字ごとに発色を変えるようにしてもよい。
【００４８】
(5)前記実施例では、一面のみから表示パターンを表示することとしたが、本発明の表示器具を表裏に重ねた構成とすることにより、両面に表示パターンを有する表示器具とすることができる。また、これら表示器具を複数並べて使用するようにしてもよい。
【００４９】
(6)前記実施例３では、ＬＥＤ１１４，１２２を透明体１０４の端部１１０，１１２に当接するように配置することとしたが、例えばチップ１１８，１２６を透明体１０４に埋め込む（すなわち、透明体１０４が樹脂モールド１１６，１２４を兼ねる）ように一体に形成するようにしても同様の効果が得られる。
【産業上の利用可能性】
【００５０】
本発明によれば、表示パターンが形成された透明体，あるいは、表示パターンを形成する透明体に光を導入するとともに、前記透明体に導入された光を反射ないし散乱する部分を設けることとしたので、視認性の良好な表示器具の用途に適用できる。特に、視認性を高めることによって表示内容を確実に伝達し、注意を促すための表示器具に好適である。
【図面の簡単な説明】
【００５１】
【図１】本発明の実施例１を示す図であり、（Ａ）は全体を示す正面図，（Ｂ）は構成を示す分解斜視図，（Ｃ）は前記（Ｂ）を＃Ａ−＃Ａ線に沿って切断した断面図である。
【図２】前記実施例を示す図であり、（Ａ）は照射部の構造を示す図，（Ｂ）は本実施例の回路図である。
【図３】本発明の実施例２を示す図であり、（Ａ）は全体を示す正面図，（Ｂ）は構成を示す分解斜視図，（Ｃ）は本実施例の照射部の詳細な構成を示す図，（Ｄ）は本実施例の回路図である。
【図４】本発明の実施例３を示す図であり、（Ａ）は全体を示す正面図，（Ｂ）は前記（Ａ）を＃Ｂ−＃Ｂ線に沿って切断した断面図，（Ｃ）は本実施例の回路図である。
【符号の説明】
【００５２】
１０：発光ディスプレイ
１２：ケース
１４：反射部
１６：電池
１８：収納部
２０：スイッチ
２２：開放部
２４：差込口
２６：白色反射板
２８：嵌合部
３０：散乱板
３０Ａ：散乱部
３２：透光性フィルム
３４：マーク
３６：照射部
３８：照射ケース
４０：開放部
４２：底面
４４：基板
４６Ａ，４６Ｂ：電極パターン
４８：ＬＥＤ（発光ダイオード）
５０，５２，５４：リード線
５６：透明体
６０：表札
６２：透明板
６４：文字
６６：端面
６８：太陽電池（パネル）
７０Ａ，７０Ｂ：電極層
７２：ケース
７４：反射部
７５：開放部
７６：白色反射板
７８：嵌合部
７９：蓄電池
８０：収納部
８１：差込口
８２：照射部
８３：照射ケース
８４：基板
８６：透明体
８７：ＬＥＤ
８８Ａ，８８Ｂ：電極パターン
９０：光センサ
９２，９４，９６，９８，９９：リード線
１００：看板
１０２：ボード
１０４：透明体
１０６：つや消し部
１０８：透明部
１１０，１１２：端部
１１４，１２２：ＬＥＤ
１１６，１２４：樹脂モールド
１１８，１２６：チップ
１２０，１２８：基部
１３０，１３２，１３６：リード線
１３４：スイッチ
１３８：電池
１４０：電池ケース
【図１】
2005031596.tif 000003
【図２】
2005031596.tif 000004
【図３】
2005031596.tif 000005
【図４】
2005031596.tif 000006